(57)【要約】【課題】光ケーブルを含めて、切断対象となっているケーブルを確実に判定し切断する。  【解決手段】ケーブルを切断するケーブル切断具１と、ケーブル切断具１に接続され、照合が合致した時にのみケーブル切断具１を作動可能とする照合機２と、ケーブルの外周に通される内空間Ｓ２を備え、ケーブルに沿って移動可能にこれに係止される係止リング４と、係止リング４に設けられて照合機２により照合される電子キー３とを備える。【選択図】        図１
2010094801.tif 000002
【特許請求の範囲】
【請求項１】
ケーブルを切断するケーブル切断具と、前記ケーブル切断具と一体ないしその近傍に設けられ、照合が合致した時にのみ前記ケーブル切断具を作動可能とする照合手段と、前記ケーブルに沿って移動可能にこれに係止される係止部材と、前記係止部材に設けられて前記照合手段により照合される照合部材とを備えるケーブル切断装置。      
【請求項２】
前記照合部材として、所定の固有コードが予め記録された電子キーを使用し、前記照合手段は自己が記憶しているコードと前記固有コードの一致を照合するものである
請求項１に記載のケーブル切断装置。
【請求項３】
前記係止部材として、切断される前記ケーブルの外周に通される内空間を備える係止リングを使用した請求項１又は２に記載のケーブル切断装置。
【発明の詳細な説明】
【技術分野】
【０００１】
本発明はケーブル切断装置に関し、特に、ケーブルの誤切断を効果的に防止できるケーブル切断装置に関する。
【背景技術】
【０００２】
ピットやラック内に多数のケーブルが並行して敷設されている場合に、特定のケーブルのみを確実に選別して切断したいという要請がある。この場合、すべてのケーブルに予め識別マークを付しておき、これを確認して切断するということが従来行われているが、識別マークを見誤る等により誤切断することが往々にしてある。また、識別マークを付す作業も煩雑である。そこで、例えば特許文献１には、切断対象となっているケーブルの一端に、所定の周期で繰り返される休止期間を有した所定周波数の識別信号を流しておき、ケーブルに当てたサーチコイルで上記識別信号が検出された場合にのみ切断器を作動させてケーブルを切断するようにした切断装置が提案されている。
【特許文献１】特開平６−９１４２５
【発明の開示】
【発明が解決しようとする課題】
【０００３】
しかし、上記従来の切断装置では、サーチコイルによる識別信号の電磁的検出が確実性に欠けるとともに、電磁的検出は光ケーブルでは使用できないという問題があった。
【０００４】
そこで、本発明はこのような課題を解決するもので、光ケーブルを含めて、切断対象となっているケーブルを確実に判定し切断することができるケーブル切断装置を提供することを目的とする。
【課題を解決するための手段】
【０００５】
上記目的を達成するために、本第１発明では、ケーブルを切断するケーブル切断具（１）と、ケーブル切断具（１）と一体ないしその近傍に設けられ、照合が合致した時にのみケーブル切断具（１）を作動可能とする照合手段（２）と、ケーブルに沿って移動可能にこれに係止される係止部材（４）と、係止部材（４）に設けられて照合手段（２）により照合される照合部材（３）とを備える。
【０００６】
本第１発明において、係止部材を切断すべきケーブルに沿ってその切断箇所近くまで移動させると、係止部材の存在によって上記ケーブルを他のケーブルと確実に識別することができる。この場合、照合手段によって照合部材を照合するために、ケーブル切断具は必ず係止部材の近くへ移動させる必要がある。そして、照合が合致した場合にのみケーブル切断具が作動可能となるから、切断すべきケーブルとその切断箇所を確実に視認してケーブル切断作業が行われる。これにより、ケーブルの誤切断が効果的に防止される。本発明においては、切断すべきケーブルの識別に係止部材を使用するから、識別を電磁的に行う従来装置では困難な、光ケーブルにも適用することができる。      
【０００７】
本第２発明では、上記照合部材として、所定の固有コードが予め記録された電子キー（３）を使用し、照合手段（２）は自己が記憶しているコードと上記固有コードの一致を照合するものである。本第２発明によれば、照合の合致を容易に確認することができる。
【０００８】
本第３発明では、上記係止部材として、切断される上記ケーブルの外周に通される内空間（Ｓ２）を備える係止リング（４）を使用する。本第３発明によれば、係止部材を簡易な構造で実現することができる。
【０００９】
なお、上記カッコ内の符号は、後述する実施形態に記載の具体的手段との対応関係を示すものである。
【発明の効果】
【００１０】
以上のように、本発明によれば、光ケーブルを含めて、切断対象となっているケーブルを確実に判定し切断することができる。
【発明を実施するための最良の形態】
【００１１】
(実施形態１)
図１にはケーブル切断装置の外観を示す。ケーブル切断装置は公知の電動ケーブル切断具（例えば（株）和泉精器製作所製ＲＥＣ−５０Ｂ）１を備えている。ケーブル切断具１はハウジング１１の一端に固定刃１２と可動刃１３を備えており、固定刃１２はハウジング１１の一端から上方へ凹状に湾曲しつつ突出している。固定刃１２の内周縁は刃部１２１となっており、固定刃１２の突出端には略扇形の可動刃１３の中心が回転可能に軸着されている。可動刃１３の外周には歯形１３１が形成されて、この歯形１３１がハウジング１１の端部内に設けられた駆動機構の歯形に噛合している。駆動機構はハウジング１１内に設置された電動モータによって作動させられる。
【００１２】
可動刃１３の下方へ凹状に湾曲する内周縁は刃部１３２となっており、上記固定刃１２の刃部１２１と対向して、これら刃部１２１，１３２の間にケーブル挿入空間Ｓ１が形成されている。ハウジング１１の中間部には電動モータの正逆転させる操作スイッチ１４が設けてあり、その逆転操作部１４１を操作して電動モータによって可動刃１３を図１のＸ矢印方向へ旋回させてケーブル挿入空間Ｓ１を拡大し、この状態でケーブル挿入空間Ｓ内にケーブルを通す。その後、操作スイッチ１４の正転操作部１４２を操作すると、電動モータによって可動刃１３がＹ矢印方向へ旋回させられてケーブル挿入空間Ｓ１が縮小し、両刃部１２１，１３２に挟まれたケーブルが切断される。
【００１３】
ケーブル切断具１のハウジング１１の他端には１４．４Ｖのバッテリパック１５が結合されており、バッテリからハウジング１１内のモータへ至る電源線１６が外部へ取り出されて、コネクタボックス１７へ入力接続されている。電源線はコネクタボックスからはコネクタケーブル１８によって照合手段としての照合機２に接続されている。照合機２は矩形のケース２１を備えており、その表面には「電源」ランプ２２、「切断開始」ランプ２３、「登録」押釦スイッチ２４、「リセット」押釦スイッチ２５、および、後述する照合部材としての電子キー３の先端部３１を受け入れる入力部２６が設けられている。入力部２６は円形の凹所内に導通接点を配設したものである。電子キー３は円柱形状をしており、その先端部３１が導通接点となっている。そして、電子キー３内には固有コードが予め記録されている。電子キー３の基端３２は係止部材としての係止リング４に止着されている。係止リングは円形のリング体で、その内空間Ｓ２をケーブルの外周に通すことができる。
【００１４】
図２には照合機２のケース２１内に設けられた照合回路５の構成を示す。照合回路５にはＣＰＵを内蔵した識別チップ５１と、マイクロコントローラ（米マイクロチップ・テクノロジー社製PIC12F675）を利用したタイマチップ５２が設けられている。なお、識別チップ５１、上記入力部２６、および電子キー３は本実施形態ではDALLS MAXIM社の電子キー（i-Button）ユニットを使用した。
【００１５】
入力部２６は識別チップ５１の「I-BUTTON」端子に接続されている。また、上記「登録」押釦スイッチ２４および「リセット」押釦スイッチ２５はそれぞれ、識別チップ５１の「ADDSW」端子および「RESET」端子に接続されている。識別チップ５１の「OK-OUT」端子はタイマチップ５２の「GP3」端子に接続されている。「切断開始」ランプ２３はタイマチップ５２の「GP0」端子に接続されている。タイマチップ５２の「GP2」端子にはトランジスタ５３のベースが接続されており、そのコレクタにはリレーコイル５４が接続されている。そして、リレーコイル５４により作動させられる常開接点５５が、ケーブル切断機１（図１）からコネクタケーブルを介して至った電源線１６の間に介設されている。
【００１６】
識別チップ５１とタイマチップ５２の各「Vcc」端子には、９Ｖのバッテリ電源から生成された５Ｖ電圧が供給されている。上記「電源」ランプ２２（図１）は図略の５Ｖ電圧供給回路中に設けられて、電源供給が開始されると点灯する。なお、識別チップ５１に電子キー３の固有コードと同一コードを記憶させるためには、電子キー３の先端部３１を入力部２６内に挿入した状態で「登録」押釦スイッチ２４を押す。これにより、入力部２６を経て「I-BUTTON」端子から識別チップ５１内に電子キー３の固有コードが読み込まれて記憶される。また、記憶された固有コードをクリアする場合には、「登録」押釦スイッチ２４を押しつつ「リセット」押釦スイッチ２５を押す。
【００１７】
さて、多数のケーブルの中から特定のケーブル（対象ケーブル）を切断する場合には、対象ケーブルの一端外周に、上記電子キー３を設けた係止リング４の内空間Ｓ２を通し、係止リング４を対象ケーブルに沿ってその他端方向へ移動させる。この移動を、切断箇所に近い位置までおこなっておけば、多数のケーブルの中から、係止リング４が通された切断すべき対象ケーブルを即座に判別することができる。この状態で、係止リング４の近くにケーブル切断具１とこれに接続された照合機２を移動させて、係止リング４に設けた電子キー３を照合機２の入力部２６内に挿入する。
【００１８】
電子キー３の固有コードが照合機２の識別チップ５１の「I-BUTTON」端子より読み込まれて当該識別チップ５１内に記憶されているコードと照合され、両者が一致すると、「OK-OUT」端子から信号５１ａが発せられる。タイマチップ５２の「GP3」端子に信号５１ａが入力すると、「GP0」端子からの出力で「切断開始」ランプ２３が点灯させられるとともに、「GP2」端子からの出力でこれに接続されたトランジスタ５３が導通作動してリレーコイル５４が励磁され、常開接点５５が閉鎖作動させられる。これにより、ケーブル切断具１のバッテリ電源がモータへ供給可能となる。なお、予め定められたタイマ時間が経過すると「GP2」端子からの出力が停止してトランジスタ５３が非導通となり、リレーコイル５４の常開接点５５が開放して、ケーブル切断具１のバッテリ電源のモータへの供給が停止させられる。
【００１９】
ケーブル切断具１のバッテリ電源がモータへ供給可能となった後、前述したように、操作スイッチ１４の逆転操作部１４１を操作して可動刃１３を図１のＸ矢印方向へ旋回させてケーブル挿入空間Ｓ１を拡大し、ケーブル挿入空間Ｓ１内に対象ケーブルの切断箇所を通す。その後、操作スイッチ１４の正転操作部１４２を操作して可動刃１３をＹ矢印方向へ旋回させ、ケーブル挿入空間Ｓ１を縮小させて、両刃部１２１，１３２によって対象ケーブルを切断する。なお、可動刃１３を図１のＸ矢印方向へ大きく旋回させてその歯形１３１と駆動機構の歯形との噛合を解消し、ケーブル挿入空間Ｓ１を上方へ開放させてこの開放部から対象ケーブルの切断箇所をケーブル挿入空間Ｓ１内へ挿置するようにしても良い。
【００２０】
本実施形態においては、係止リング４を対象ケーブルの外周に通した状態でその切断箇所近くまで移動させるから対象ケーブルを他のケーブルと確実に識別することができるとともに、照合機２の入力部２６に係止リング４の電子キー３を挿入するためにケーブル切断具１は必ず係止リング４の近くへ移動させられるから、対象ケーブルの切断箇所を確実に視認してケーブル切断具１による切断作業が行われることになる。これにより、ケーブルの誤切断が効果的に防止される。
【００２１】
なお、上記実施形態においては、ケーブル切断具１のハウジング１１から引き出した電源線１６をコネクタボックス１７で中継して照合機２に接続しているが、電源線１６を直接照合機２に入力接続するようにしても良い。また、上記実施形態では係止部材として、対象ケーブルの外周に通す内空間Ｓ２を有する係止リング４を使用したが、対象ケーブルにこれに沿って移動可能に係止されるものであれば具体的構造は問わない。さらに、照合機２をケーブル切断具１と一体にしても良い。
【００２２】
（実施形態２）
図３には本発明の他の実施形態を示す。なお、以下の図面において、実施形態１と同一の部材には同一の符号が付してある。本実施形態においては、上記実施形態１で照合機２に一体に設けられていた入力部２６が、照合機２のケース２１とは別体のケース７に設けられており、ケース２１からケース７へ延びるケーブル６２によって、照合機２内の、後述する照合回路５と上記入力部２６が接続されている。ケース７には後面に面ファスナーが設けられており（図示略）、一方、ケーブル切断具１のハウジング１１側面にも面ファスナー１９が設けられて、切断具使用時には図４に示すように、面ファスナー１９によってケース７はハウジング１上に固定される。ケース７の側面には「切断開始」ランプ２３が設置されている（図３）。また、ケース２１の表面には、後述する照合回路５の５Ｖ電圧供給回路中に設けられた「電源」（ＰＷ）ランプ２２、および５Ｖ電源の入り切り（ＯＮ−ＯＦＦ）を選択する「電源」スイッチ２７が設置されている。
【００２３】
図５には照合機２のケース２１内に設けられた照合回路５の構成を示す。当該照合回路５は基本的に実施形態１に記載したものと同一であり、以下は相違点のみを説明する。識別チップ５１にはその「ADDSW」端子に「登録」押釦スイッチ２４が接続されている。この「登録」押釦スイッチ２４はケース２１内に設置されている。また、タイマチップ５２の「GP1」，「GP5」端子にはそれぞれタイマ設定スイッチ５６，５７が接続されている。タイマ設定スイッチ５６，５７はケース２１（図３）内に設置されており、各スイッチ５６，５７の入り切りを選択することによって、５秒刻みに４種類のタイマ時間を選択することができる。また、タイマチップ５２の「GP4」端子にはケーブル切断具１の運転信号１ａが入力している。
【００２４】
識別チップ５１に電子キー３の固有コードと同一コードを記憶させるためには、電子キー３の先端部３１を入力部２６内に挿入した状態（図４参照）で「登録」押釦スイッチ２４を押す。これにより、入力部２６を経て「I-BUTTON」端子から識別チップ５１内に電子キー３の固有コードが読み込まれて記憶される。なお、記憶された固有コードをクリアする場合には「電源」スイッチ２７を一旦切り、「登録」押釦スイッチ２４を押しながら「電源」スイッチ２７を再び入れる。
【００２５】
多数のケーブルの中から特定のケーブル（対象ケーブル）を切断する場合には、対象ケーブルの一端外周に、上記電子キー３を設けた係止リング４の内空間Ｓ２を通し、係止リング４を対象ケーブルに沿ってその他端方向へ移動させる。この移動を、切断箇所に近い位置までおこなっておけば、多数のケーブルの中から、係止リング４が通された切断すべき対象ケーブルを即座に判別することができる。この状態で、係止リング４に設けた電子キー３を、ケーブル切断具１に固定したケース７に設けられた入力部２６内に挿入する。
【００２６】
電子キー３の固有コードが照合機２の識別チップ５１の「I-BUTTON」端子より読み込まれて当該識別チップ５１内に記憶されているコードと照合され、両者が一致すると、「OK-OUT」端子から信号５１ａが発せられる。タイマチップ５２の「GP3」端子に信号５１ａが入力すると、「GP0」端子からの出力で「切断開始」ランプ２３が点灯させられるとともに、「GP2」端子からの出力でこれに接続されたトランジスタ５３が導通作動してリレーコイル５４が励磁され、常開接点５５が閉鎖作動させられる。これにより、ケーブル切断具１のバッテリ電源がモータへ供給可能となる。ここで、ケーブル切断具１が起動されることなく予め定められたタイマ時間が経過すると、タイマチップ５２の「GP2」端子からの出力が停止させられてトランジスタ５３が非導通となり、リレーコイル５４の常開接点５５が開放して、ケーブル切断具１の運転はできなくなる。
【００２７】
一方、タイマ時間が経過する前にケーブル切断具１が起動させられた場合は、タイマチップ５２の「GP4」端子に運転信号１ａが入力し、タイマ時間が経過しても「GP2」端子からの出力が維持される。ケーブル切断具１の運転時に、実施形態１と同様にして、可動刃１３と固定刃１２の間のケーブル挿入空間Ｓ１を縮小させて対象ケーブルを切断する。本実施形態においては、係止リング４に設けた電子キー３を、ケーブル切断具１に一体に設けた入力部２６内に挿入して確認するから、対象ケーブルの切断箇所を、より確実に視認してケーブル切断具１による切断作業を行なうことができる。
【図面の簡単な説明】
【００２８】
【図１】本発明の実施形態１におけるケーブル切断装置の構成を示す斜視図である。
【図２】本発明の実施形態１における照合機の照合回路の一例を示す回路図である。
【図３】本発明の実施形態２におけるケーブル切断装置の構成を示す斜視図である。
【図４】本発明の実施形態２におけるケーブル切断装置の使用時の外観を示す斜視図である。
【図５】本発明の実施形態２における照合機の照合回路の一例を示す回路図である。
【符号の説明】
【００２９】
１…ケーブル切断具、２…照合機（照合手段）、２６…入力部、３…照合部材（電子キー）、４…係止リング（係止手段）、Ｓ２…内空間。
【図１】
2010094801.tif 000003
【図２】
2010094801.tif 000004
【図３】
2010094801.tif 000005
【図４】
2010094801.tif 000006
【図５】
2010094801.tif 000007